(57)【要約】【課題】身の回りを保温する際に確実な熱安全性をもたらすことができ、しかも、場所に拘束されることなく手軽に使用可能な保温用身の回り品を提供する。【解決手段】純度９９．０％以上のアルミニウム薄物体３と密封空気層４とが重ね合わされるシート状積層体１を保温体として備え、人体に直接的または間接的に当接可能になっている保温用身の回り品。【選択図】図３
0003120337.tif 000002
【実用新案登録請求の範囲】
【請求項１】
純度９９．０％以上のアルミニウム薄物体と密封空気層とが重ね合わされるシート状積層体を保温体として備え、人体に直接的または間接的に当接可能になっている保温用身の回り品。
【請求項２】
前記シート状積層体は、前記アルミニウム薄物体の表裏面に密封空気層が重ね合わされて構成されている請求項１に記載の保温用身の回り品。
【請求項３】
前記シート状積層体は、前記密封空気層の表裏面にアルミニウム薄物体が重ね合わされて構成されている請求項１に記載の保温用身の回り品。
【請求項４】
前記アルミニウム薄物体がアルミニウム箔であり、その表面が、高光沢面状態に仕上げられている請求項１〜３のいずれか１項に記載の保温用身の回り品。
【請求項５】
前記密封空気層が、層全体にわたって均密に存在している多数の小密封空気室によって形成されている請求項１〜４のいずれか１項に記載の保温用身の回り品。
【請求項６】
前記シート状積層体は、前記密封空気層が密封式フラット型袋体の中に密封された空気によって形成されており、前記アルミニウム薄物体が密封式フラット型袋体の内表面あるいは内底面に取り付けられている請求項１〜４のいずれか１項に記載の保温用身の回り品。
【考案の詳細な説明】
【技術分野】
【０００１】
本考案は保温用身の回り品に関し、詳しくは、臀部や足のような人体局所あるいは全身を保温するのに用いられる保温用身の回り品に関する。
【背景技術】
【０００２】
近年、臀部や足のような人体局所あるいは全身を保温するのに、様々な電気保温器が用いられている。例えば、臀部の保温には電気座布団が使われ、足の保温には電気足温器が使われ、身体全体の保温には電気毛布が使われたりしている。
【考案の開示】
【考案が解決しようとする課題】
【０００３】
しかしながら、従来の電気保温器の場合、熱安全性が十分とは言い難いという問題がある。高齢の利用者などの場合は、往々にして電気保温器の使用中に利用者が低温火傷するおそれがある。また、当然のことながら、これら電気保温器は近くに電源を必要とし、場所に拘束されることなく手軽に使用できるものではない。
【０００４】
そこで、本考案は上記実情に鑑みてなされたものであり、その課題は、身の回りを保温する際に確実な熱安全性をもたらすことができ、しかも、場所に拘束されることなく手軽に使用可能な保温用身の回り品を提供することにある。
【課題を解決するための手段】
【０００５】
上記課題を解決するため、本考案に係る保温用身の回り品は、純度９９．０％以上のアルミニウム薄物体と密封空気層とが重ね合わされるシート状積層体を保温体として備え、人体に直接的または間接的に当接可能になっていることを特徴とする。
【０００６】
この保温用身の回り品を使用した場合、保温用身の回り品の保温体であるシート状積層体のアルミニウム薄物体は、純度が９９．０％以上あって身体から出る熱を高率で反射して身体側に熱輻射すると共に、シート状積層体の密封空気層が身体から出る熱の逸散を抑え、身体の周りの寒気を遮断する。その結果、保温用身の回り品の保温体であるシート状積層体が当接された身体局所は、電気を使わずとも体熱（体温に由来する熱）が熱源となって十分に保温される。この場合、体熱による保温は体温以上に熱くなることはないので、低温火傷のおそれは全くない。しかも、電源を使用しないので、室内配線の煩雑さや配線自体の存在によるトラブル（足に引っ掛けて事故を生じるなど）もなく、簡易に移動できて可搬性に優れると共に、室内での使用のみならず、戸外のキャンプ地など電源のない所でも容易に使用でき、省エネルギーを達成できて、電気災害とも無縁となる。ここに、アルミニウム薄物体とは、アルミニウム箔や平板状をしたアルミニウム繊維体など、厚みの薄いアルミニウム材料を総称するものとする。また、密封空気層としては、積層した樹脂製フィルムの間に空気層を密閉し形成すること等により形成することができる。
【０００７】
よって、身の回りを保温する際に確実な熱安全性をもたらすことができ、しかも、場所に拘束されることなく手軽に使用可能な保温用身の回り品を提供することができる。
【０００８】
本考案の好ましい実施形態として、前記シート状積層体は、前記アルミニウム薄物体の表裏面に密封空気層が重ね合わされて構成されている形態が挙げられる。
【０００９】
この実施形態によれば、アルミニウム薄物体の表面と裏面に密封空気層があって、身体から出る熱の逸散を抑えると同時に身体の周りの寒気を遮断する密封空気層が二重構造になるので、利用者はより十分に保温される。
【００１０】
本考案の他の好ましい実施形態として、前記シート状積層体は、前記密封空気層の表裏面にアルミニウム薄物体が重ね合わされて構成されている形態が挙げられる。
【００１１】
この実施形態によれば、密封空気層の表面と裏面にアルミニウム薄物体があって、身体から出る熱を高率で反射して、身体側に熱輻射するアルミニウム薄物体が二重構造になるので、利用者はより十分に保温される。
【００１２】
本考案の他の好ましい実施形態として、前記アルミニウム薄物体がアルミニウム箔であって、その表面が、高光沢面状態に仕上げられている形態が挙げられる。
【００１３】
この実施形態によれば、表面が高光沢面に仕上がっているアルミニウム箔が身体から出る熱を更に効果的に高率で反射して、身体側に熱輻射するので、利用者はより十分に保温される。高光沢面とは、例えば、アルミニウム箔製造工程中、圧延ロール表面が砥粒番手♯４００程度以上の細かさで仕上げられた圧延ロールにより圧延され製造されて、高い光沢面を有する場合をいう。
【００１４】
本考案の他の好ましい実施形態として、前記密封空気層が、層全体にわたって均密に存在している多数の小密封空気室によって形成されている形態が挙げられる。
【００１５】
この実施形態によれば、密封空気層が層全体にわたって均密に存在している多数の小密封空気室によって形成されていて、密封空気層が細かく分割されており、密封空気層全体としての空気流動性が低下するので、身体から出る熱の逸散を確実に抑えると同時に身体の周りの寒気を確実に遮断する。しかも、多数の小密封空気室の存在によって圧縮強度が高くなり、人の体重に対しても容易に空気室が破壊され難くなっており、たとえ小密封空気室が損壊した場合でも、気密破壊は損壊した小密封空気室だけに留まり、気密破壊が隣の小密封空気室に及ぶわけではないので、密封空気層の気密性が損なわれ難い。
【００１６】
本考案の他の好ましい実施形態として、前記シート状積層体は、前記密封空気層が密封式フラット型袋体の中に密封された空気によって形成されており、前記アルミニウム薄物体が密封式フラット型袋体の内表面あるいは内底面に取り付けられていてもよい。
【００１７】
この実施形態によれば、アルミニウム薄物体も密封空気層も密封式フラット型袋体の中に封じ込まれているので、シート状積層体は堅牢なものになる。この場合、袋体の一部に空気注入栓を設けておき、使用する際に、市販の空気導入ポンプ等を用いて袋体内に空気を導入し、その後、簡易弁などで封止することにより密封空気層が形成されたシート状積層体として使用する。使用しない場合には、空気を抜くことにより縮小し、可搬性に優れるのみならず、畳み込んでコンパクトに保管することができる。
【００１８】
本考案の他の好ましい実施形態として、座布団、寝具、靴底下敷き具、足温用具のうちの１つである形態が挙げられる。
【００１９】
この実施形態によれば、座布団で臀部を保温したり、寝具で全身を保温したり、靴底下敷き具で足裏を保温したり、足温用具で足裏および足先を保温する際、低温火傷をすることなく、確実な熱安全性がもたらされる。
【考案を実施するための最良の形態】
【００２０】
本考案の保温用身の回り品の実施形態を、図面を参照して詳しく説明する。
【００２１】
＜第１実施形態＞
図１は、第１実施形態に係る座布団（保温用身の回り品）を示す斜視図、図２は、図１の座布団の正面図である。
【００２２】
この座布団は、座布団本体（品物本体）であるシート状積層体１が、薄手の保護カバー２で覆われて構成されている。
【００２３】
座布団本体としてのシート状積層体１は、アルミニウム薄物体の１種であるアルミニウム箔（純度９９．０％以上）３と密封空気層４とが重ね合わされている。このシート状積層体１の場合、アルミニウム箔３の表面と裏面に密封空気層４が重ね合わされている。もっとも、図３に示すように、密封空気層４はアルミニウム箔３と樹脂製フィルムとの間で空気を密閉して形成するようにしてもよいし、積層した樹脂製フィルムに予め密閉した空気層を形成しておき、これとアルミニウム箔３を貼着するようにしてもよい。
【００２４】
アルミニウム箔３は、表面が極めて滑らかなアルミニウム箔によって形成されていて、アルミニウム箔３は表面が高光沢面状態に仕上がっている。このようなアルミニウム箔３は、アルミニウム箔製造工程中、圧延ロール表面が砥粒番手♯４００程度以上の細かさで仕上げられた圧延ロールにより圧延され製造されていて、アルミニウムの純度が高いことと相まって、高い光沢面となる。アルミニウム箔は、砥粒番手♯８００以上の砥石により、ロール表面が研磨された圧延ロールで圧延されることが好ましく、このようなアルミニウム箔の表面は、その凹凸が極めて微細に仕上げられる。密封空気層４は、層全体にわたって均密に万遍なく存在している多数の小密封空気室４ａによって形成されている。
【００２５】
この座布団の上に利用者が座った場合、座布団本体であるシート状積層体１のアルミニウム箔３は純度９９．０％以上であるため、体熱を輻射熱として９７％程度以上の高率で反射し、身体側に熱輻射すると共に、シート状積層体１の密封空気層４が身体から出る熱の逸散を抑え、しかも身体周りの寒気を遮断する。その結果、座布団本体であるシート状積層体１が当接された利用者の臀部は、電気を使わずとも体熱が熱源となって効果的に保温される。そして、体熱による保温は体温以上に熱くなることはないので、低温火傷の心配はない。
【００２６】
よって、この座布団によれば、身の回りを保温する際に顕著な熱安全性をもたらすことができる。
【００２７】
さらに、この座布団は、アルミニウム箔３の表面と裏面に密封空気層４があって、身体から発散される熱の逸散を抑えると同時に身体の周りの寒気を遮断する密封空気層４が二重構造になるので、利用者の臀部はより十分に保温される。また、表面が高光沢面に仕上がっているアルミニウム箔３が、身体から発散される熱を更に高率で反射して身体側に戻すので、特に、床面からの寒気を遮断すると共に、床面への体熱の移動をも遮断して、利用者の臀部はより十分に保温される。
【００２８】
加えて、密封空気層４が層全体にわたって均密に万遍なく存在している多数の小密封空気室４ａによって形成されていて、密封空気層４が細かく分割されており、密封空気層４全体としての空気流動性が低下するので、身体から出る熱の逸散を確実に抑えると同時に、身体の周りの寒気を確実に遮断する他に、小密封空気室４ａが損壊した場合、気密破壊は損壊した小密封空気室４ａだけに留まり、気密破壊が隣の小密封空気室４ａに及ぶことがないので、密封空気層４の気密性が損なわれ難くなる。小密封空気室４ａとしては、４〜３０ｍｍ径程度の半球状をした形状のものを使用することが好ましい。
【００２９】
また、第１実施形態の座布団は、図３のシート状積層体１を座布団本体としたが、図３のシート状積層体１を図４のシート状積層体５に変えた他は同一の構成である座布団を、第１実施形態の変形例として挙げることができる。
【００３０】
シート状積層体５は密封空気層４が２段重ねとなっており、密封空気層４の表面と裏面にアルミニウム箔３がそれぞれ重ね合わされている他は、シート状積層体１と同一の構成であり、この変形例に係る座布団でも、シート状積層体５が実質的にシート状積層体１と同一の保温機能を発揮する。特に、密封空気層４の表面と裏面にアルミニウム箔３があって、身体から出る熱を高率で反射して身体側に熱輻射するアルミニウム箔３が二重構造になるので、利用者の臀部は十分に保温される。
【００３１】
なお、本実施形態の座布団の座布団本体に用いられるシート状積層体１としては、住宅用遮熱材として用いられるウルトラコンクリートバリア  Ｒ  FOIL （商品名：発売元；キャスケードコンポーネンツインク／（有）ナーダックコーポレーション）が具体的に挙げられ、シート状積層体５としては、Ｓuper  Ｒ  Ｄiamomd Foil（商品名：発売元；innovative insulation inc.)が具体的に挙げられる。
【００３２】
＜第２実施形態＞
図５は、第２実施形態に係る寝具用布団（保温用身の回り品）を示す斜視図、図６は、上記寝具用布団の使用状況を示す模式図である。
【００３３】
この寝具用布団は、布団本体（保温体）であるシート状積層体６が薄手の保護カバー７で覆われて構成されている。
【００３４】
布団本体としてのシート状積層体６の場合も、具体的には、図３のシート状積層体１や図５のシート状積層体５が用いられ、特にソフト感のあるシート状積層体１は好適である。
【００３５】
この寝具用布団は、図６に示すように、利用者Ｍと掛け布団Ｐの間、あるいは、利用者Ｍと敷き布団Ｑの間に入れられて使用される。この寝具用布団では、シート状積層体６が第１実施形態の座布団の場合と同様の保温機能を発揮するので、布団本体であるシート状積層体６が被着された利用者は体熱が熱源となって全身が好適に保温される。しかも、寝具用布団は軽量であり、高齢者であっても取り扱いが容易となる。
【００３６】
上記寝具用布団を、直接人体に当接して使用するだけでなく電気カーペットの下に配置することもできる。このようにすると、昇温速度が早くなり、それだけ省エネルギーが達成される。
【００３７】
＜第３実施形態＞
図７は、第３実施形態に係る左用と右用で一対となっている靴底下敷き具（保温用身の回り品）を示す平面図である。
【００３８】
この実施形態の靴用中敷きは、左用・右用いずれも、中敷き本体（保温体）であるシート状積層体８が、薄手の保護カバー９で覆われて構成されている。中敷き本体としてのシート状積層体８の場合も、具体的には、図３のシート状積層体１や図５のシート状積層体５が用いられる。この靴用中敷きは、利用者が履く靴底にセットされて使用される。
【００３９】
そして、この中敷きでは、シート状積層体８が第１実施形態の座布団の場合と同様の保温機能を発揮するので、中敷き本体であるシート状積層体８が接当された利用者の足の裏は、体熱が熱源となって十分に保温される。なお、この中敷きをスリッパ用として使用してもよい。
【００４０】
＜第４実施形態＞
図８は、第４実施形態に係るスリッパタイプの足温用具（保温用身の回り品）を示す側面図、図９は、第４実施形態の足温用具の正面図である。なお、第４実施形態の場合、図４に示す足温用具が右足と左足それぞれ１つずつ計２つを１組として用いられる。
【００４１】
この足温用具は、足温用具本体（保温体）であるシート状積層体１０が、フェルトなどの表皮材１１で覆われて構成されている。足温用具本体としてのシート状積層体１０の場合も、具体的には、図３のシート状積層体１や図５のシート状積層体５が用いられる。
【００４２】
この足温用具は、図１０に示すように、利用者が足Ｆの先を足温用具に入れて履くようにして使用される。
【００４３】
そして、この足温用具でも、シート状積層体１０が第１実施形態の座布団の場合と同様の保温機能を発揮するので、足温用具本体であるシート状積層体８が、空気を介して間接的に被着された利用者の足元は、体熱が熱源となって十分に保温される。
【００４４】
＜第５実施形態＞
図１１は、第５実施形態に係る座布団（保温用身の回り品）を示す斜視図、図１２は、第５実施形態の座布団の縦断面図である。
【００４５】
この座布団は、座布団本体（保温体）であるシート状積層体１２が密封式フラット型袋体１３の内に設けられている。
【００４６】
シート状積層体１２も、純度９９．０％以上のアルミニウム箔１４と密封空気層１５とが重ね合わされて構成されている。密封空気層１５は、密封式フラット型袋体１３の中に密封された空気によって形成されており、アルミニウム箔１４は、密封式フラット型袋体１３の内底面に配置されていて、表面が高光沢に形成されている。
【００４７】
密封式フラット型袋体１３は開閉可能な空気注入栓１３ａが付設されていて、使用する際に空気注入孔１３ａを開栓し、市販の空気導入ポンプ等を用いて空気を送り込んでから閉栓することで空気を容易に密封することができる。この座布団も、その上に利用者が座って使用される。使用しない場合には、空気を抜くことにより縮小でき、可搬性に優れるのみならず、嵩張ることなく積層でき、更には畳み込んでコンパクトに保管することができる。密封式フラット型袋体１３としては、気密性がある程度保持されればよく、樹脂製で構成されることが好ましい。もとより、模様付きカバーなどで全体を被覆することも可能である。
【００４８】
この座布団も、シート状積層体１２が第１実施形態の座布団の場合と同様の保温機能を発揮するので、座布団本体であるシート状積層体１２が接当された利用者の臀部は、体熱が熱源となって十分に保温される。
【００４９】
加えて、本実施形態の座布団の場合、アルミニウム箔１４も密封空気層１５も密封式フラット型袋体１３の中に封じ込まれているので、シート状積層体１２は堅牢なものとなる。
【００５０】
〔別実施の形態〕
（１）図３に示すシート状積層体１において、表面と裏面の空気層４の一方を設けないシート状積層体も、本考案の保温用身の回り品に用いることができる。
（２）第１実施形態や第５実施形態の座布団の形は四角形であったが、座布団の形は、これに限られず、真円や楕円などの円形、または、五角形や六角形などの多角形、さらにはハート型など様々な形とすることが可能である。
（３）上記実施形態の保温用身の回り品に用いられている保護カバーや表皮材あるいは密封式フラット型袋体の表面には、着色したり適当な模様を施こしたりすることができる。
（４）第５実施形態の座布団の場合、アルミニウム箔を密封式フラット型袋体１３の内表面に取り付けられていてもよいし、アルミニウム箔用を密封式フラット型袋体１３の内表面と内底面の両方に取り付けられていてもよい。
（５）上記アルミニウム箔としては、箔単体として用いてもよいが、表面に薄い樹脂製フィルムなどをラミネートして強度を高めるようにしてもよく、アルミニウム箔どうしの間に補強繊維などを含ませた複合体などであってもよい。アルミニウム箔は、用途に応じて０．０１〜０．２ｍｍ程度の厚みのものを使用できる。
（６）アルミニウム繊維を薄い平板状に形成してアルミニウム薄物体として使用することもできる。このようなアルミニウム薄物体として、純度９９．０％以上のアルミニウム、好ましくは純度９９．７％以上のアルミニウムを溶融紡糸法でアルミニウム繊維を製造し、その後、双ロールで圧搾して平板状にし、薄い平板状のアルミニウム薄物体を形成することができる。
【００５１】
このようなアルミニウム繊維を用いてアルミニウム薄物体を使用する例として、例えば、利用者と掛け布団との間、あるいは利用者に被着される毛布と掛け布団との間に挿入して利用することができる。また、このようなアルミニウム薄物体を敷布団の下に敷く、あるいは床に敷いたマットレスとその上の敷布団との間に挿入して利用すること等ができる。このようにすると、アルミニウム繊維体（薄い布などでカバーされていてもよい）が直接利用者に接当して肌触りに違和感をもたらすようなことがないので都合がよい。
（７）本考案が適用できる保温用身の回り品としては、上記実施形態で例示したものに限られず、各種クッションや膝かけや背中当てなどに適用してもよいし、更には防寒具として衣服内部に挿入して使用することもできる。
【図面の簡単な説明】
【００５２】
【図１】第１実施形態の座布団を示す斜視図
【図２】図１の座布団の正面図
【図３】図１の座布団の座布団本体であるシート状積層体を示す断面図
【図４】第１実施形態の変形例に係る座布団の座布団本体であるシート状積層体を示す断面図
【図５】第２実施形態の寝具用布団を示す斜視図
【図６】図５の寝具用布団の使用状況を示す模式図
【図７】第３実施形態の靴用中敷きを示す平面図
【図８】第４実施形態のスリッパタイプの足温用具を示す側面図
【図９】図８の足温用具の背面図
【図１０】図８の足温用具の使用状況を示す側面図
【図１１】第５実施形態の座布団を示す斜視図
【図１２】図１１の座布団の縦断面図
【符号の説明】
【００５３】
１，５，６      シート状積層体
８，１０，１２  シート状積層体
３，１４        アルミニウム薄物体
４，１５        密封空気層
４ａ            小密封空気室
１３            密封式フラット型袋体
【図１】
0003120337.tif 000003
【図２】
0003120337.tif 000004
【図３】
0003120337.tif 000005
【図４】
0003120337.tif 000006
【図５】
0003120337.tif 000007
【図６】
0003120337.tif 000008
【図７】
0003120337.tif 000009
【図８】
0003120337.tif 000010
【図９】
0003120337.tif 000011
【図１０】
0003120337.tif 000012
【図１１】
0003120337.tif 000013
【図１２】
0003120337.tif 000014